(57)【要約】  回動軸（１８）と、湾曲操作ノブ（４）と、固定軸（１０）と、２枚の可動ディスク（１１、１２）と、固定ディスク（１４）と、カム部材（１５）と、抵抗付与部材（１７）と、固定レバー（５）と、を具備し、抵抗付与部材（１７）は、カム部材（１５）の一方向への回転に伴って移動してきたカム部材（１５）の突出部（１５ｔ）の内周面に対して付勢力を以て当接することにより、カム部材（１５）の回動位置を可動ディスク（１１、１２）の第２の位置において固定する径方向に揺動自在な揺動部（１７ｔ）を有している。
2013061690.tif 000002
【特許請求の範囲】
【請求項１】
回動軸と、
前記回動軸とともに回動自在な、内視鏡の湾曲部の湾曲操作を行う湾曲操作ノブと、
前記回動軸の軸方向において前記回動軸と同軸上に設けられた、前記回動軸に対して非回動な固定軸と、
前記固定軸の径方向の外周に対して固定された、前記軸方向において、第１の間隔を有して離間する第１の位置と、前記第１の間隔よりも短い第２の間隔を有して離間する第２の位置とに移動自在な、前記軸方向に貫通するスリットがそれぞれ形成された２枚の可動ディスクと、
２枚の前記可動ディスクと前記軸方向において同軸上に設けられるとともに前記湾曲操作ノブの内周面に当接する、前記第２の位置において２枚の前記可動ディスクによって挟まれることにより前記湾曲操作ノブの回動に摩擦力を付与する固定ディスクと、
２枚の前記可動ディスクと前記軸方向において同軸上に設けられた、前記各スリットを前記軸方向に貫通するとともに前記各スリット内を前記回動軸の回動方向に移動自在な突出部を有する、前記回動軸の回動とは別に前記回動方向に回動自在であって、一方向への回転に伴い２枚の前記可動ディスクを、前記突出部に形成されたカム溝により前記第１の位置から前記第２の位置へと移動させるカム部材と、
前記固定軸の前記径方向の外周に対して固定されるとともに前記カム部材の前記径方向の内周に設けられた、前記カム部材の回動に抵抗力を付与する抵抗付与部材と、
前記カム部材の回動操作を行う固定用操作部材と、
を具備し、
前記抵抗付与部材は、前記カム部材の前記一方向への回転に伴って移動してきた前記カム部材の前記突出部の内周面に対して付勢力を以て当接することにより、前記カム部材の回動位置を前記可動ディスクの前記第２の位置において固定する前記径方向に揺動自在な揺動部を有していることを特徴とする内視鏡の湾曲操作装置。
【請求項２】
前記揺動部は、前記径方向に揺動自在な弾性部材から構成されていることを特徴とする請求項１に記載の内視鏡の湾曲操作装置。
【請求項３】
前記突出部は、前記回動方向に沿った横行部位を有しており、
前記揺動部は、前記カム部材の前記一方向への回動に伴い移動してきた前記横行部位の内周面に当接することを特徴とする請求項１または２に記載の内視鏡の湾曲操作装置。
【請求項４】
前記揺動部は、前記横行部位に対向するよう、前記回動方向に沿って細長に形成されていることを特徴とする請求項３に記載の内視鏡の湾曲操作装置。
【請求項５】
前記揺動部に凸部が形成されているとともに前記横行部位の前記内周面に段部が形成されており、
前記第２の位置において前記段部に前記凸部が嵌入することにより、前記カム部材の回動位置が前記第２の位置にて固定されることを特徴とする請求項４に記載の内視鏡の湾曲操作装置。
【請求項６】
前記凸部は、前記揺動部に対して前記回動方向に離間して２つ形成されていることを特徴とする請求項５に記載の内視鏡の湾曲操作装置。
【請求項７】
２つの前記凸部の内、前記カム部材の前記一方向への回転に伴い、前記横行部位の前記凹部に後から嵌入する前記凸部により、前記カム部材の回動位置が前記第２の位置にて固定されることを特徴とする請求項６に記載の内視鏡の湾曲操作装置。
【発明の詳細な説明】
【技術分野】
【０００１】
本発明は、内視鏡の操作部内に設けられた、内視鏡の挿入部の湾曲部を湾曲させる内視鏡の湾曲操作装置に関する。
【背景技術】
【０００２】
近年、内視鏡は、医療分野及び工業用分野において広く利用されている。医療分野において用いられる内視鏡は、細長い挿入部を被検体となる体腔内に挿入することによって、体腔内の臓器を観察したり、必要に応じて内視鏡が具備する処置具の挿通チャンネル内に挿入した処置具を用いて各種処置をしたりすることができる。【０００３】
また、工業用分野において用いられる内視鏡は、内視鏡の細長い挿入部をジェットエンジン内や、工場の配管等の被検体内に挿入することによって、被検体内の被検部位の傷及び腐蝕等の観察や各種処置等の検査を行うことができる。【０００４】
ここで、内視鏡の挿入部に、複数方向に湾曲自在な湾曲部が設けられた構成が周知である。湾曲部は、管路内の屈曲部における挿入部の進行性を向上させる他、挿入部において、湾曲部よりも挿入方向の先端側に位置する先端部に設けられた観察光学系の観察方向を可変させる。【０００５】
通常、内視鏡の挿入部に設けられた湾曲部は、複数の湾曲駒が挿入部の挿入方向に沿って連結されることにより、例えば上下左右の４方向に湾曲自在となるよう構成されている。【０００６】
また、湾曲部は、湾曲駒の内、最も挿入方向の先端側に位置する湾曲駒に先端が固定された挿入部内に挿通された４本のワイヤのいずれかが操作部に設けられた湾曲操作装置によって牽引操作されることにより、上下左右のいずれかの方向に湾曲自在となっている。【０００７】
具体的には、湾曲部は、操作部に設けられた上下湾曲用の湾曲操作ノブが回動操作されることによって、操作部に設けられた上下湾曲用のスプロケットが回動され、該スプロケットに巻回された上下湾曲用チェーンの上側チェーン部位と下側チェーン部位とのいずれかが牽引されることにより、上下いずれかのワイヤが牽引され、上方向または下方向のいずれかに湾曲される構成を有している。【０００８】
さらに、湾曲部は、操作部に設けられた左右湾曲用の湾曲操作ノブが回動操作されることによって、操作部に設けられた左右湾曲用のスプロケットが回動され、該スプロケットに巻回された左右湾曲用チェーンの左側チェーン部位と右側チェーン部位とのいずれかが牽引されることにより、左右いずれかのワイヤが牽引され、左方向または右方向のいずれかに湾曲される構成を有している。【０００９】
また、操作部に、上下湾曲用の湾曲操作ノブの回動操作により上方向または下方向に湾曲された湾曲部の湾曲角度、即ち上下湾曲用の湾曲操作ノブの回動位置を固定する上下湾曲固定用ロックレバーが設けられた構成が周知である。さらに、操作部に、左右湾曲用の湾曲操作ノブの回動操作により左方向または右方向に湾曲された湾曲部の湾曲角度、即ち左右湾曲用の湾曲操作ノブの回動位置を固定する左右湾曲固定用ロックノブが設けられた構成も周知であり、これらは、日本国第特開２０００−１５２９１２号公報、日本国第特開平７−２６１０９８号公報、日本国第特許平１０−２９５６２８号公報に開示されている。【００１０】
ここで、上下湾曲固定用ロックレバーの回動操作によって上下湾曲用の湾曲操作ノブの回動位置を固定した際や左右湾曲固定用ロックノブの回動操作によって左右湾曲用の湾曲操作ノブの回動位置を固定した際、上下湾曲固定用ロックレバー及び左右湾曲固定用ロックノブ（以下、まとめて固定用操作部材と称す）が不意に動いてしまうと、各湾曲操作ノブの回動位置が固定できず動いてしまい、湾曲部の湾曲角度の固定が不意に解除されてしまうといった問題があった。【００１１】
そこで、日本国第特開平６−３２７６１６号公報には、固定用操作部材の不意の動作を防止する係止部材が内視鏡の操作部または固定用操作部材のいずれかに設けられた構成が開示されている。【００１２】
さらに、日本国第特開２００４−３５１２２１号公報には、Ｏリングを用いて、固定用操作部材と湾曲操作ノブとが共回りしてしまう構成が開示されている。【００１３】
しかしながら、日本国第特開平６−３２７６１６号公報に開示された構成においては、内視鏡操作部または固定用操作部材に係止部材を設けなければならないため、係止部材の分、固定用操作部材における不意の動作を防止する構造が大型化してしまうといった問題があった。【００１４】
また、日本国第特開２００４−３５１２２１号公報に開示された構成においては、Ｏリングが摩耗してしまうと、湾曲操作ノブとともに固定用操作部材が共回りしてしまう可能性があった。【００１５】
本発明は、上記問題点に鑑みなされたものであり、部品点数を少なくした簡単かつ小型の構造にて、固定用操作部材の不意の動作を確実に防止することができる内視鏡の湾曲操作装置を提供することを目的とする。
【発明の開示】
【課題を解決するための手段】
【００１６】
本発明の一態様による内視鏡の湾曲操作装置は、回動軸と、前記回動軸とともに回動自在な、内視鏡の湾曲部の湾曲操作を行う湾曲操作ノブと、前記回動軸の軸方向において前記回動軸と同軸上に設けられた、前記回動軸に対して非回動な固定軸と、前記固定軸の径方向の外周に対して固定された、前記軸方向において、第１の間隔を有して離間する第１の位置と、前記第１の間隔よりも短い第２の間隔を有して離間する第２の位置とに移動自在な、前記軸方向に貫通するスリットがそれぞれ形成された２枚の可動ディスクと、２枚の前記可動ディスクと前記軸方向において同軸上に設けられるとともに前記湾曲操作ノブの内周面に当接する、前記第２の位置において２枚の前記可動ディスクによって挟まれることにより前記湾曲操作ノブの回動に摩擦力を付与する固定ディスクと、２枚の前記可動ディスクと前記軸方向において同軸上に設けられた、前記各スリットを前記軸方向に貫通するとともに前記各スリット内を前記回動軸の回動方向に移動自在な突出部を有する、前記回動軸の回動とは別に前記回動方向に回動自在であって、一方向への回転に伴い２枚の前記可動ディスクを、前記突出部に形成されたカム溝により前記第１の位置から前記第２の位置へと移動させるカム部材と、前記固定軸の前記径方向の外周に対して固定されるとともに前記カム部材の前記径方向の内周に設けられた、前記カム部材の回動に抵抗力を付与する抵抗付与部材と、前記カム部材の回動操作を行う固定用操作部材と、を具備し、前記抵抗付与部材は、前記カム部材の前記一方向への回転に伴って移動してきた前記カム部材の前記突出部の内周面に対して付勢力を以て当接することにより、前記カム部材の回動位置を前記可動ディスクの前記第２の位置において固定する前記径方向に揺動自在な揺動部を有している。
【図面の簡単な説明】
【００１７】
【図１】本実施の形態の湾曲操作装置を操作部に具備する内視鏡の外観を示す図
【図２】図１の内視鏡の操作部に設けられた湾曲操作装置の構成を示す部分断面図
【図３】図２中のIII線で囲った部位を拡大して示す部分断面図
【図４】図２中の湾曲操作装置の一部の構成を示す分解斜視図
【図５】図４のカム部材の突出部に設けられたカム溝内に、２枚の可動ディスクの一部が第１の間隔を有して嵌入するよう組み立てられた状態を概略的に示す図
【図６】図５の２枚の可動ディスクが、カム部材の回転に伴いカム溝により第２の間隔まで移動した状態を概略的に示す図
【図７】図４のカム部材を拡大して示す斜視図
【図８】図４の位置決めバネを拡大して示す斜視図
【図９】図４の抵抗付与部材を拡大して示す斜視図
【図１０】図４のカム部材、抵抗付与部材、２枚の可動ディスク、固定ディスク、位置決めバネ、支持板、固定レバーが組み付いた状態を拡大して示す斜視図
【図１１】図２中のXI-XI線に沿う湾曲操作装置の部分断面図
【図１２】図２中のXII-XII線に沿う湾曲操作装置の部分断面図
【図１３】図４の回動軸を拡大して示す斜視図
【図１４】図４の湾曲操作ノブを、図４中のXIV方向からみた拡大斜視図
【図１５】図１４の湾曲操作ノブの被係合部に、回動軸の保持部が係止されている状態を示す斜視図
【図１６】図１６は、図４の可動ディスクを概略的に示す平面図
【図１７】２枚の可動ディスクに形成された孔の従来の配置位置を、変形例の孔の形状とともに示す可動ディスクの平面図
【図１８】図４の回動軸の保持部の形状の変形例を操作部側から示す平面図
【図１９】図１８の保持部に、湾曲操作ノブの被係合部が係止された状態を概略的に示す部分断面図
【発明を実施するための最良の形態】
【００１８】
以下、図面を参照して本発明の実施の形態を説明する。  
図１は、本実施の形態の湾曲操作装置を操作部に具備する内視鏡の外観を示す図である。  
図１に示すように、内視鏡１は、被検体内に挿入される挿入部２と、該挿入部２の挿入方向Ｓの基端側に連設された操作部３と、該操作部３から延出されたユニバーサルコード８と、該ユニバーサルコード８の延出端に設けられたコネクタ９とを具備して主要部が構成されている。尚、コネクタ９を介して、内視鏡１は、制御装置や照明装置等の外部装置と電気的に接続される。【００１９】
操作部３に、挿入部２の後述する湾曲部２ｗを上下方向に湾曲させる上下用湾曲操作ノブ（以下、単に湾曲操作ノブと称す）４と、湾曲部２ｗを左右方向に湾曲させる左右用湾曲操作ノブ（以下、単に湾曲操作ノブと称す）６とが設けられている。【００２０】
さらに、操作部３に、湾曲操作ノブ４の回動位置を固定する固定用操作部材である固定レバー５と、湾曲操作ノブ６の回動位置を固定する固定用操作部材である固定ノブ７とが設けられている。【００２１】
尚、湾曲操作ノブ４と、固定レバー５と、湾曲操作ノブ６と、固定ノブ７とは、操作部３内に設けられた他の部材とともに、本実施の形態における後述する湾曲操作装置１００（図２参照）を構成している。【００２２】
挿入部２は、先端部２ｓと湾曲部２ｗと可撓管部２ｋとにより構成されており、挿入方向Ｓに沿って細長に形成されている。【００２３】
先端部２ｓ内には、被検体内を観察する図示しない撮像ユニットや、被検体内を照明する照明ユニット等が設けられている。【００２４】
また、湾曲部２ｗは、湾曲操作ノブ４や湾曲操作ノブ６の回動操作により、例えば上下左右の４方向に湾曲されることにより、先端部２ｓに設けられた撮像ユニットの観察方向を可変したり、被検体内における先端部２ｓの挿入性を向上させたりするものである。さらに、湾曲部２ｗの基端側には、可撓管部２ｋが連設されている。【００２５】
次に、操作部３に設けられた内視鏡の湾曲操作装置１００の構成について、図２〜図１９を用いて説明する。【００２６】
図２は、図１の内視鏡の操作部に設けられた湾曲操作装置の構成を示す部分断面図、図３は、図２中のIII線で囲った部位を拡大して示す部分断面図、図４は、図２中の湾曲操作装置の一部の構成を示す分解斜視図である。【００２７】
また、図５は、図４のカム部材の突出部に設けられたカム溝内に、２枚の可動ディスクの一部が第１の間隔を有して嵌入するよう組み立てられた状態を概略的に示す図、図６は、図５の２枚の可動ディスクが、カム部材の回転に伴いカム溝により第２の間隔まで移動した状態を概略的に示す図である。【００２８】
さらに、図７は、図４のカム部材を拡大して示す斜視図、図８は、図４の位置決めバネを拡大して示す斜視図、図９は、図４の抵抗付与部材を拡大して示す斜視図である。【００２９】
また、図１０は、図４のカム部材、抵抗付与部材、２枚の可動ディスク、固定ディスク、位置決めバネ、支持板、固定レバーが組み付いた状態を拡大して示す斜視図である。【００３０】
また、図１１は、図２中のXI-XI線に沿う湾曲操作装置の部分断面図、図１２は、図２中のXII-XII線に沿う湾曲操作装置の部分断面図、図１３は、図４の回動軸を拡大して示す斜視図である。【００３１】
さらに、図１４は、図４の湾曲操作ノブを、図４中のXIV方向からみた拡大斜視図、図１５は、図１４の湾曲操作ノブの被係合部に、回動軸の保持部が係止されている状態を示す斜視図である。【００３２】
また、図１６は、図４の可動ディスクを概略的に示す平面図、図１７は、２枚の可動ディスクに形成された孔の従来の配置位置を、変形例の孔の形状とともに示す可動ディスクの平面図である。【００３３】
さらに、図１８は、図４の回動軸の保持部の形状の変形例を操作部側から示す平面図、図１９は、図１８の保持部に、湾曲操作ノブの被係合部が係止された状態を概略的に示す部分断面図である。【００３４】
尚、以下に示す湾曲操作装置１００の構成においては、湾曲操作ノブ４及び固定レバー５に関わる構成を例に挙げて示す。【００３５】
図２に示すように、湾曲操作ノブ４は、操作部３の内部から挿入方向Ｓに略直交する方向となる軸方向Ａに沿って延出されて設けられた円筒状の回動軸１８の軸方向Ａにおける操作部３から離間する端部（以下、上端と称す）に非固定状態において係止されており、回動軸１８とともに、回動方向Ｒにおける方向Ｒ１または方向Ｒ２（いずれも図４参照）に回転自在となっている。【００３６】
具体的には、図１４に示すように、湾曲操作ノブ４の内面を構成する上面４ｕであって、湾曲操作ノブ４の回動中心に、湾曲操作ノブ４の内部の空間４ｉにおいて操作部３側に突出する被係合部である凸部４ｊが形成されている。凸部４ｊには、回動方向Ｒに所定の間隔を有して、複数本、例えば５本のスリット４ｊｓが凸部４ｊの径方向に湾曲操作ノブ４の回動中心から放射状に形成されている。【００３７】
また、図２、図４、図１３に示すように、回動軸１８の上端に保持部３５が一体的に形成されている。尚、保持部３５は、回動軸１８とは別体に形成され回動軸１８の上端から分離自在でも構わないが、この構成では回動軸１８の上端に対して別途保持部３５を固定する構造が必要となるため好ましくない。【００３８】
保持部３５は、図１３に示すように、回動軸１８の上端から回動軸１８の径方向Ｋに放射状に延出する、少なくとも３本以上、例えば５本の係合部である腕部３５ａと、該腕部３５ａの径方向Ｋへの延出端から、各腕部３５ａに連続して回動軸１８と平行な方向、即ち軸方向Ａと平行な方向に折り返された折り返し部３５ｒとを具備して主要部が構成されている。【００３９】
５本の腕部３５ａは、図１２、図１５に示すように、凸部４ｊの５本のスリット４ｊｓに被固定状態で係合されるものである。よって、腕部３５ａは、保持部３５において、スリット４ｊｓに係合できる位置、形状、本数に形成されている。即ち、腕部３５ａの本数は、スリット４ｊｓの本数と同数である必要がある。【００４０】
また、腕部３５ａは、軸方向Ａの板厚が、スリット４ｊｓの軸方向Ａの深さよりも小さく形成されている。また、各スリット４ｊｓへの各腕部３５ａの係合（嵌入）により、保持部３５に対する湾曲操作ノブ４の回動方向Ｒの位置決めが行われる。【００４１】
５本の折り返し部３５ｒは、スリット４ｊｓに腕部３５ａが係合された際、図２、図１５に示すように、凸部４ｊの外周面４ｊｇに対して、径方向Ｋにおける複数方向から当接している。【００４２】
また、図１３に示すように、各折り返し部３５ｒは、軸方向Ａ及び径方向Ｋの２方向に対して直交する方向Ｃに沿って延出する延出部位３５ｅをさらに具備しており、図１５に示すように、延出部位３５ｅも凸部４ｊの外周面４ｊｇに対して、径方向Ｋにおける複数方向から当接している。【００４３】
尚、折り返し部３５ｒ及び延出部位３５ｅが凸部４ｊの外周面４ｊｇに対して径方向における複数方向から当接していることにより、非固定状態であっても回動軸１８の上端に対する湾曲操作ノブ４の嵌合ガタ付きが防止される。即ち、回動軸１８の上端に対して湾曲操作ノブ４が傾いて組み付いてしまうことが防止される。【００４４】
これは、仮に、回動軸１８の上端に対して、湾曲操作ノブ４が傾こうとしても、凸部４ｊの外周面４ｊｇに対して複数方向から折り返し部３５ｒ及び延出部位３５ｅが当接しているため、湾曲操作ノブ４が傾くことができないためである。【００４５】
さらに、スリット４ｊｓに腕部３５ａが係合された際、図３に示すように、各折り返し部３５ｒ及び延出部位３５ｅの軸方向Ａにおける操作部３側の下端と、湾曲操作ノブ４の内部の空間４ｉに位置する後述する抵抗付与部材１７の基部１７ｂとの間の間隔ａ１は、折り返し部３５ｒの軸方向Ａの長さａ２よりも短く（ａ１＜ａ２）形成されている。【００４６】
これは、湾曲操作ノブ４を回動軸１８とともに、ユニットとして流通する場合、通常、湾曲操作ノブ４に対して回動軸１８が非固定状態であれば、湾曲操作ノブ４から回動軸１８が外れてしまう。しかしながら、本構成においては、ａ１＜ａ２となっているため、回動軸１８の下端を下側にしても、折り返し部３５ｒ及び延出部位３５ｅの下端が基部１７ｂに当接状態でスリット４ｊｓ内に腕部３５ａが位置するため、腕部３５ａがスリット４ｊｓから軸方向Ａに外れてしまうことがないことから、ユニットとしての取り扱いが容易となっている。【００４７】
以上から、回動軸１８の上端は、湾曲操作ノブ４の上面４ｕに対して、該上面４ｕに形成された凸部４ｊの各スリット４ｊｓに、回動軸１８の上端に形成された保持部３５の各腕部３５ａが非固定状態で係合し、保持部３５の各折り返し部３５ｒ及び延出部位３５ｅが、凸部４ｊの外周面４ｊｇに対して、径方向Ｋにおける複数方向から当接することによって係止されている。【００４８】
尚、保持部３５の形状は、図２、図４、図１３に示すものに限定されない。例えば、図１８、図１９に示すように、保持部３５’は、回動軸１８の上端から径方向外側に広がる軸方向Ａから平面視した形状が環状の腕部３５ａ’と、該腕部３５ａ’の外周縁から連続して操作部３側に軸方向Ａに沿って折り返された折り返し部３５ｒ’とから構成されていても構わない。【００４９】
湾曲操作ノブ４の上面４ｕに形成された被係合部である凸部４ｊ’には、図１９に示すように、軸方向Ａに沿って操作部３側に延出する複数本の突起部４ｊｔが形成されている。【００５０】
円形状の腕部３５ａ’には、軸方向Ａに貫通する係合部である孔部３５ｈ’が、複数個、例えば４つ形成されている。尚、孔部３５ｈ’は、凸部４ｊ’に保持部３５が係合された際、突起部４ｊｔが係合される孔であり、突起部４ｊｔと同数形成されている。【００５１】
折り返し部３５ｒ’は、各孔部３５ｈ’に各突起部４ｊｔが係合された際、突起部４ｊｔの外周面４ｊｔｇに対して弾性力を有して当接するものであり、突起部４ｊｔに対して径方向Ｋにおける複数方向からの当接により、非固定状態であっても回動軸１８の上端に対する湾曲操作ノブ４の嵌合ガタ付きを防止するものである。【００５２】
このような、図１８、図１９に示す構成であっても、図１３に示す保持部と同様の効果を得ることができる。尚、保持部３５の形状は、以上、説明したものに限定されず、係合部が被係合部に係合された状態において、係合部の外周面を折り返し部が径方向Ｋにおける複数方向から当接する構成であれば、どのような形状であっても構わない。【００５３】
また、図２に戻って、回動軸１８の操作部３の内部に位置する軸方向Ａの端部（以下、下端と称す）は、操作部３の内部に設けられたスプロケット１９に嵌合している。尚、スプロケット１９には、湾曲部２ｗを湾曲させる図示しないチェーンが巻回されている。【００５４】
このことにより、湾曲操作ノブ４が方向Ｒ１または方向Ｒ２に回転操作されると、湾曲操作ノブ４に非固定状態で上述した構成により係止された回動軸１８も湾曲操作ノブ４と同方向に回転するとともに、スプロケット１９も同方向に回転することから、チェーンのいずれか側が牽引されることにより、湾曲部２ｗは、上下いずれかの方向に湾曲する。【００５５】
尚、スプロケット１９とチェーンの組み合わせに限定されずに、回動軸１８の下端がプーリに嵌合され、プーリに巻回されたワイヤを、プーリの回転に伴い牽引する構成であっても構わない。【００５６】
回動軸１８の径方向の外周に、操作部３の内部から軸方向Ａに沿って延出する筒状の固定軸１０が、操作部３から離間する端部（以下、上端と称す）側が湾曲操作ノブ４の内部の空間４ｉに挿通されて設けられている。尚、固定軸１０は、軸方向Ａに直交する挿入方向Ｓの断面形状が多角形状、例えば矩形状に軸方向Ａに沿って形成されている。【００５７】
尚、固定軸１０は、操作部３の外装部材３ｇに対してＯリング等を介して固定されているとともに、回動軸１８に対して径方向に所定の間隔を有して同軸上に位置していることにより回動軸１８に対して非回動となっている。【００５８】
また、固定軸１０の外周には、湾曲操作ノブ４の内部の空間４ｉに位置する、例えば樹脂から形成された固定レバー５が、Ｏリング２１等を介して回動方向Ｒに回動自在に当接されている。【００５９】
具体的には、図４、図５に示すように、把持部５ｒと環状部５ｂから構成された固定レバー５の環状部５ｂの内周面が、固定軸１０の外周に、Ｏリング２１等を介して回動方向Ｒに回動自在に当接されている。【００６０】
固定レバー５の環状部５ｂの外周には、湾曲操作ノブ４の内部の空間４ｉに位置する支持板２３の内周面が、Ｏリング２２等を介して当接されている。尚、支持板２３の外周面は、Ｏリング２４等を介して、湾曲操作ノブ４の内周面４ｎに当接されている。【００６１】
さらに、固定軸１０の外周において、固定レバー５の環状部５ｂよりも上面４ｕ側に、湾曲操作ノブ４の内部の空間４ｉに位置する、例えば金属から形成されたカム部材１５が、固定レバー５と軸方向Ａにおいて同軸上に位置している。【００６２】
カム部材１５は、図４に示すように、環状の基部１５ｂと、該基部１５ｂからそれぞれ軸方向Ａに対して対向するよう軸方向Ａにおいて上面４ｕ側に逆Ｌ字状に突出した２つの突出部１５ｔとを具備して主要部が構成されている。【００６３】
また、カム部材１５は、図４に示すように、基部１５ｂから径方向における内周方向に突出した複数の凸部１５ｐが、固定レバー５の環状部５ｂのカム部材１５側の面に形成された複数の凹部５ｍにそれぞれ嵌合することにより固定レバー５に固定されている。【００６４】
即ち、カム部材１５は、凹部５ｍへの凸部１５ｐの嵌合により、固定レバー５とともに回動方向Ｒの方向Ｒ１または方向Ｒ２に回転自在となっている。言い換えれば、固定レバー５は、カム部材１５の回動操作を行うものである。【００６５】
カム部材１５の突出部１５ｔは、図７に示すように、軸方向Ａにおいて上面４ｕ側に突出した起立部位１５ｔ１と、該起立部位１５ｔ１の突出端から方向Ｒ２に回動方向Ｒに沿って円弧状に延出された横行部位１５ｔ２と、起立部位１５ｔ１の方向Ｒ１側に位置する段部１５ｔ３とを具備して主要部が構成されている。【００６６】
尚、突出部１５ｔの起立部位１５ｔ１は、軸方向Ａの長さが長い程、カム部材１５に対する軸方向Ａから作用する力に強くなる。即ち、カム部材１５は、軸方向Ａの変形に強くなる。【００６７】
このことから、カム部材１５に起立部位１５ｔ１が設けられておれば、軸方向Ａから付与される力に対して強度を持たせるため、従来のように基部１５ｂを厚肉に形成するとともにカム部材を径方向に大径化しなくて良くなる。【００６８】
このことから、基部１５ｂの軸方向Ａにおける板厚を小さくできるばかりか、径方向のカム部材１５の径を小さくすることができるため、湾曲操作装置１００の軽量化及び小型化に寄与する。【００６９】
また、図５〜図７に示すように、突出部１５ｔにおいて、基部１５ｂと横行部位１５ｔ２との軸方向Ａにおける間に、回動方向Ｒに沿って、カム溝１５ｃが形成されている。【００７０】
カム溝１５ｃは、図５に示すように、方向Ｒ１へ向かうに従い、軸方向Ａの溝間隔が、ｍ２から該ｍ２よりも小さいｍ１（ｍ２＞ｍ１）になっていくよう、傾斜面または円弧状の面を有して形成されている。【００７１】
さらに、図７に示すように、突出部１５ｔの横行部位１５ｔ２の方向Ｒ２側の延出端は、クランク状に曲げられていることにより横行部位１５ｔ２の内周面１５ｔｎに段部１５ｔｖが形成されている。【００７２】
図２に戻って、固定軸１０の外周において、カム部材１５の基部１５ｂより上面４ｕ側に、軸方向Ａにおいてカム部材１５と同軸上に位置するとともに湾曲操作ノブ４の内部の空間４ｉに位置する、例えば金属から形成された一方の可動ディスク１１と他方の可動ディスク１２とがそれぞれ固定されている。尚、可動ディスク１１と可動ディスク１２とは同一形状、同じ大きさに形成されている。【００７３】
具体的には、可動ディスク１１、１２には、固定軸１０の外形形状に略等しい外形を有する、上面４ｕ側から平面視した形状が多角形状、例えば矩形状の軸方向Ａに貫通する貫通孔１１ｋ、１２ｋが形成されており、該貫通孔１１ｋ、１２ｋに挿通された固定軸１０に対して可動ディスク１１、１２は固定されている。【００７４】
尚、可動ディスク１１の貫通孔１１ｋの位置は、可動ディスク１２の貫通孔１２ｋの位置と同じ位置に形成されている。即ち、可動ディスク１１と可動ディスク１２とを重ね合わせた際、各貫通孔１１ｋ、１２ｋは重畳する。【００７５】
よって、可動ディスク１１、１２は、固定軸１０に固定されているため、固定軸１０とともに、回動軸１８に対して非回動な構成となっている。【００７６】
尚、図２に示すように、各貫通孔１１ｋ、１２ｋと、固定軸１０の外周との間には、軸方向Ａに所定の長さを有する位置決めバネ３０が嵌入されている。【００７７】
具体的には、図８に示すように、位置決めバネ３０は、例えば所定の長さを有する細長な板状部材を、３回、所定の間隔を有して９０°折り曲げることにより筒状に形成された、軸方向Ａに所定の長さを有する軸部材３０ｖを具備している。【００７８】
尚、軸部材３０ｖは、図２に示すように固定軸１０の外周に対して被覆されるものである。よって、固定軸１０が矩形状以外の多角形状に形成されている場合は、軸部材３０ｖも固定軸と同じ外形形状に折り曲げられて形成される。【００７９】
また、軸部材３０ｖは、図２に示すように、軸方向Ａにおいて、少なくとも貫通孔１１ｋ、１２ｋの双方を貫通する長さに形成されている。即ち、軸部材３０ｖは、軸方向Ａにおいて、軸部材３０ｖの上端が可動ディスク１１の上面より上面４ｕ側に突出しており、下端が可動ディスク１２の底面よりも操作部３側に突出する長さに形成されている。【００８０】
軸部材３０ｖは、各貫通孔１１ｋ、１２ｋ内に挿通されることにより、可動ディスク１１に対する可動ディスク１２の回動方向Ｒの位置合わせを行うものである。【００８１】
これは、カム部材１５を用いて２枚の可動ディスク１１、１２を移動させる構成においては、組み立ての際、一方の可動ディスク１１に対する他方の可動ディスク１２の回動方向Ｒの位置合わせが難しいといった問題がある。具体的には、固定軸１０に対して２つの可動ディスク１１、１２を嵌入させる際、固定軸１０に対する可動ディスク１１、１２の貫通孔１１ｋ、１２ｋの位置合わせが難しいといった問題があった。【００８２】
よって、本構成にように、固定軸１０に可動ディスク１１、１２を組み付ける前に、貫通孔１１ｋ、１２ｋに軸部材３０ｖを挿通しておけば、容易に可動ディスク１１に対する可動ディスク１２の回動方向Ｒの位置合わせができ、固定軸１０に対する可動ディスク１１、１２の貫通孔１１ｋ、１２ｋの位置合わせができるといった利点がある。【００８３】
尚、軸部材３０ｖの操作部３側の下端に、貫通孔１１ｋ、１２ｋから軸部材３０ｖが操作部３側に抜けてしまうのを防止する抜け止めが形成されていても構わない。【００８４】
また、図８に示すように、軸部材３０ｖの４つの外周面に、軸部材３０ｖが貫通孔１１ｋ、１２ｋに挿通された状態において、軸方向Ａにおける可動ディスク１１と可動ディスク１２との間に対し、軸部材３０ｖの径方向Ｋの外側に突出する径方向Ｋに弾性変形自在な爪部３０ｔが形成されている。【００８５】
爪部３０ｔは、後述するように、固定レバー５が方向Ｒ１に回転され、湾曲操作ノブ４の固定を解除し、カム部材１５が方向Ｒ１に回転された際、可動ディスク１１を、弾性力により第２の位置から第１の位置へと移動させ、第１の位置を維持させるものである。【００８６】
また、爪部３０ｔは、後述するように、可動ディスク１１が第１の位置から第２の位置へと移動された際、可動ディスク１１の貫通孔１１ｋによって、径方向Ｋの内側に引っ込み、貫通孔１１ｋ内に位置する。【００８７】
尚、以上の位置決めバネ３０の構成は、湾曲操作ノブ６内に位置する２枚の可動ディスクにも適用される。【００８８】
図２に戻って、２枚の可動ディスク１１、１２の軸方向Ａの間には、２枚の可動ディスク１１、１２と軸方向Ａにおいて同軸上に位置するとともに湾曲操作ノブ４の内部の空間４ｉに位置する、例えば樹脂から形成された固定ディスク１４が設けられている。【００８９】
固定ディスク１４は、外周面に設けられたＯリング２５が、湾曲操作ノブ４に対してあらかじめ適正な湾曲保持力が出るように形状や押し当て量が設定されて、湾曲操作ノブ４の内周面４ｎに当接しているとともに、後述する第２の位置（図６参照）において、２枚の可動ディスク１１、１２に軸方向Ａにおいて挟まれるフランジ部１４ｆを有している
尚、Ｏリング２５は、不連続に内周面４ｎに当接していても構わない。また、固定ディスク１４は、後述する第１の位置（図５参照）においては、湾曲操作ノブ４とともに回動する。【００９０】
また、図４に示すように、可動ディスク１１、１２には、軸方向Ａにおいて例えば上面４ｕ側から平面視した状態における所定の重畳位置に、軸方向Ａに貫通するよう回動方向Ｒに部分円弧状を有するスリット１１ｓ、１２ｓがそれぞれ各ディスク１１、１２に対して２つずつ、回動軸１８の回動中心に対して対称となるよう、また、各貫通孔１１ｋ、１２ｋを部分的に囲むように形成されている。【００９１】
尚、可動ディスク１１のスリット１１ｓの位置は、可動ディスク１２のスリット１２ｓの位置と同じ位置に形成されている。即ち、可動ディスク１１と可動ディスク１２とを重ね合わせた際、各スリット１１ｓ、１２ｓは重畳する。【００９２】
各スリット１１ｓ、１２ｓには、カム部材１５の突出部１５ｔが、回動方向Ｒにおける方向Ｒ１または方向Ｒ２に、回動軸１８とは別に移動自在となるよう貫通されている。即ち、カム部材１５の突出部１５ｔが、各スリット１１ｓ、１２ｓに貫通された状態において、２枚の可動ディスク１１、１２の一部がカム溝１５ｃ内に嵌入されている。【００９３】
尚、突出部１５ｔは、段部１５ｔ３が開口端部１２ｓｋに当接する位置と、２枚の可動ディスク１１、１２の端部１１ｓｗ、１２ｓｗ（図５、図６参照）がカム溝１５ｃの端部１５ｃｔに当接する位置とにおいてスリット１１ｓ、１２ｓ内を回動方向Ｒに移動自在となっている。【００９４】
また、２枚の可動ディスク１１、１２は、段部１５ｔ３が開口端部１２ｓｋに当接しているときは、上述した位置決めバネ３０の後述する爪部３０ｔ（図８参照）により、図５に示すように、軸方向Ａにおいて第１の間隔ｄ１を有して離間している。尚、以下、可動ディスク１１、１２が軸方向Ａにおいて第１の間隔ｄ１離間する位置を第１の位置と称す。【００９５】
また、この第１の位置においては、横行部位１５ｔ２の方向Ｒ２の先端側が、可動ディスク１１の上面に当接していることから、各スリット１１ｓ、１２ｓから突出部１５ｔが操作部３側に抜けてしまうことが無い。【００９６】
さらに、図５に示す第１の位置において、カム部材１５の突出部１５ｔの段部１５ｔ３が開口端部１２ｓｋに当接しているときは、カム部材１５の突出部１５ｔは、スリット１２ｓに対して、方向Ｒ１への回転が規制されている。【００９７】
ここで、上述したように、突出部１５ｔには、回動方向Ｒに、カム溝１５ｃが形成されていると示した。【００９８】
よって、第１の位置から、カム部材１５が方向Ｒ２に回転されると、スリット１１ｓ、１２ｓ内を、可動ディスク１１、１２のスリット１１ｓ、１２ｓの端部１１ｓｗ、１２ｓｗがカム溝１５ｃの回動方向Ｒの端部１５ｃｔに当接するまで、突出部１５ｔが方向Ｒ２に移動する。この移動により、可動ディスク１１は、可動ディスク１２に対して、カム溝１５ｃに形成された傾斜面または円弧状の面によってガイドされて回転力が軸方向Ａへの力と変換されることにより、図６に示すように、軸方向Ａにおいて、第１の間隔ｄ１よりも短い第２の間隔ｄ２（ｄ２＜ｄ１）を有して離間する第２の位置へと移動する。【００９９】
即ち、カム溝１５ｃは、カム部材１５の方向Ｒ２への回転に伴って、可動ディスク１１を、第１の位置から第２の位置へと移動させる形状を有しており、カム部材１５の方向Ｒ２への回転に伴って、回転力を軸方向Ａへの力に変換して可動ディスク１１を、第１の位置から第２の位置へと移動させる機能を有している。【０１００】
尚、カム溝１５ｃは、可動ディスク１１のみならず、可動ディスク１１、１２の双方を第１の位置から第２の位置へと移動させる形状に形成されていても構わない。【０１０１】
また、この際、位置決めバネ３０の爪部３０ｔは、可動ディスク１１の貫通孔１１ｋによって、径方向Ｋの内側に引っ込み、第２の位置においては、貫通孔１１ｋ内に位置する。【０１０２】
また、この図６に示す第２の位置においては、固定ディスク１４のフランジ部１４ｆは、可動ディスク１１、１２によって挟まれることにより、湾曲操作ノブ４とともに回動する固定ディスク１４の回動が固定され、Ｏリング２５は、湾曲操作ノブ４の内周面４ｎに対して摩擦力を以て当接する。この摩擦力により、湾曲操作ノブ４の回動位置は固定される。尚、このとき、フランジ部１４ｆを可動ディスク１１、１２によって挟む力は、湾曲操作ノブ４とＯリング２５との摩擦力よりも大きくなる。【０１０３】
また、図６に示す第２の位置において、カム部材１５が方向Ｒ２とは反対の方向Ｒ１に回転されると、突出部１５ｔは、段部１５ｔ３がスリット１２ｓの開口端部１２ｓｋに当接するまでスリット１１ｓ、１２ｓ内を移動し、この場合、カム溝１５ｃの形状ではなく上述した位置決めバネ３０の爪部３０ｔ（図８参照）の弾性力により、可動ディスク１１は、図５に示す第１の位置へ移動される。【０１０４】
この状態においては、フランジ部１４ｆは可動ディスク１１、１２に挟まれていないことから、湾曲操作ノブ４及び固定ディスク１４は回動自在となっている。【０１０５】
以上から、可動ディスク１１、１２は、湾曲操作ノブ４の内部の空間４ｉにおいて、軸方向Ａにおいて、第１の間隔ｄ１を有して離間する第１の位置と、第２の間隔ｄ２を有して離間する第２の位置とに、固定レバー５の回動に伴って移動自在となっている。【０１０６】
ここで、同一の形状、大きさに形成された可動ディスク１１、１２においては、上述したように、軸方向Ａに貫通するスリット１１ｓ、１２ｓ、及び矩形状の貫通孔１１ｋ、１２ｋが形成されていると示した。【０１０７】
ところが、各可動ディスク１１、１２を軸方向Ａから平面視した状態において、図１７に示すように、平面視した形状が矩形状の貫通孔１１ｋ、１２ｋの各辺を、可動ディスク１１、１２の平面方向（径方向）において回動軸１８の回動中心を通るとともに垂直に交差する２軸ｘ１、ｘ２に対し平行となる向きに貫通孔１１ｋ、１２ｋを開口してしまうと、貫通孔１１ｋ、１２ｋの角部と、スリット１１ｓ、１２ｓの端部１１ｓｋ、１２ｓｋとの間の平面方向の肉の幅ｗ１が十分確保できない。【０１０８】
尚、スリット１１ｓ、１２ｓの各端部１１ｓｋ、１２ｓｋは、上述したように、スリット１１ｓ、１２ｓ内における突出部１５ｔの段部１５ｔ３の当接に伴い、スリット１１ｓ、１２ｓにおいて最も力が付与される位置であることから、スリット１１ｓ、１２ｓの端部１１ｓｋ、１２ｓｋと、貫通孔１１ｋ、１２ｋの角部との径方向の肉の幅が十分確保できないと、該部位の強度が低下してしまうといった問題がある。【０１０９】
よって、従来は、軸方向Ａの肉の幅を大きく確保することにより、または可動ディスク１１、１２を径方向に大径化することに径方向の肉の幅を確保することによって、上述した部位の強度を確保していたが、これは可動ディスク１１、１２が軸方向Ａへの厚肉化、及び径方向へ大径化されてしまうため好ましくない。【０１１０】
よって、本実施の形態においては、矩形状の各貫通孔１１ｋ、１２ｋを、図１６に示すように、図１７とは、回動方向Ｒに４５°回転させた位置、即ち、各貫通孔１１ｋ、１２ｋの角部が、軸ｘ１、ｘ２と一致する向きに貫通孔１１ｋ、１２ｋが貫通されている。【０１１１】
このことにより、図１６に示すように、可動ディスク１１、１２を、軸方向Ａへ厚肉化及び径方向へ大径化しなくとも、矩形状の各貫通孔１１ｋ、１２ｋの角部と、スリット１１ｓ、１２ｓの端部１１ｓｋ、１２ｓｋとの間の径方向の肉の幅ｗ２を、図１７に示す肉の幅ｗ１よりも大きく確保することができる（ｗ１＜ｗ２）。【０１１２】
尚、図１７の点線に示すように、貫通孔１１ｋ、１２ｋの平面形状を、例えば８角形にしても８角形の角部と、端部１１ｓｋ、１２ｓｋとの間の肉の幅ｗ３を、従来の肉の幅ｗ１よりも大きく確保することができる（ｗ１＜ｗ３）。【０１１３】
図２に戻って、固定軸１０の外周において、可動ディスク１１より上面４ｕ側であって、図２、図１０に示すようにカム部材１５の突出部１５ｔよりも径方向の内側に、湾曲操作ノブ４の内部の空間４ｉに位置する抵抗付与部材１７が固定されている。【０１１４】
抵抗付与部材１７は、カム部材１５の回動に抵抗力を付与することにより、第２の位置におけるカム部材１５の方向Ｒ１への不意の移動を防ぐものである。また、抵抗付与部材１７は、固定軸１０と同様に非回動な部材である。【０１１５】
図９に示すように、抵抗付与部材１７は、軸方向Ａから平面視した形状が矩形状の貫通孔１７ｋが固定軸１０に固定される基部１７ｂと、基部１７ｂの外周縁からそれぞれ回動軸１８の回動中心に対して対称となるよう軸方向Ａの上面４ｕ側に逆Ｌ字状に起立した揺動部１７ｔとを有して主要部が構成されている。【０１１６】
揺動部１７ｔは、基部１７ｂの外周縁部から軸方向Ａに起立する起立部位１７ｔ１と、起立部位１７ｔ１の起立端から、回動方向Ｒに沿って方向Ｒ１側に細長に延出する横行部位１７ｔ２とを具備して主要部が構成されている。【０１１７】
揺動部１７ｔは、図１０〜図１２に示すように、横行部位１７ｔ２の外周面が、突出部１５ｔの横行部位１５ｔ２の内周面１５ｔｎに対して付勢力を以て当接することにより、カム部材１５の回動位置を第２の位置において固定するものであり、径方向に揺動自在な弾性部材から構成されている。【０１１８】
具体的には、揺動部１７ｔは、図９〜図１１に示すように、横行部位１７ｔ２の外周面において、方向Ｒ１側の端部と、起立部位１７ｔ１側との位置に、２つの凸部１７ｑ１、１７ｑ２が、回動方向Ｒに離間して形成されており、該２つの凸部１７ｑ１、１７ｑ２が、内周面１５ｔｎに対して付勢力を以て当接する。【０１１９】
凸部１７ｑ１は、カム部材１５の横行部位１５ｔ２の内周面１５ｔｎに当接するととともに、カム部材１５の方向Ｒ２への移動に伴い内周面１５ｔｎ形成された段部１５ｔｖに嵌入することにより、固定レバー５の操作者に対して、クリック感を付与することによって、カム部材１５の方向Ｒ２への回転の回動終わりの前段階を告知するものである。【０１２０】
凸部１７ｑ２は、カム部材１５が第２の位置まで方向Ｒ２に回転してきた際、横行部位１５ｔ２の内周面１５ｔｎに当接するととともに、図１１、図１２の１点鎖線に示すように、凸部１７ｑ１に続いて段部１５ｔｖに嵌入することにより、第２の位置におけるカム部材１５の回動位置を固定する、即ち第２の位置から方向Ｒ１へのカム部材１５の不意の回転を防止するものである。【０１２１】
よって、横行部位１７ｔ２の外周面に対して、凸部１７ｑ２が形成され、段部１５ｔｖに凸部１７ｑ２が嵌入するのみでも、即ち、凸部１７ｑ１はなくとも第２の位置におけるカム部材１５の回動位置を固定することができる。しかしながら、段部１５ｔｖに２つの凸部１７ｑ１、１７ｑ２が嵌入されていることにより、確実に、第２の位置におけるカム部材１５の方向Ｒ１への不意の回転を防止することができる。【０１２２】
尚、揺動部１７ｔの形状は、図９〜図１１に示すように、起立部位１７ｔ１の起立端から方向Ｒ１に延出する横行部位１７ｔ２が形成され、該横行部位１７ｔ２に回動方向Ｒに離間して２つの凸部１７ｑ１、１７ｑ２が形成された形状に限らない。【０１２３】
具体的には、図１２に示すように、揺動部１７ｔ’は、起立部位１７ｔ１の起立端から方向Ｒ１及び方向Ｒ２にそれぞれ回動方向Ｒに延出する横行部位１７ｔ２’が形成され、横行部位１７ｔ２’の回動方向Ｒの各端部に、凸部１７ｑ１’、１７ｑ２’が形成された形状であっても構わない。【０１２４】
尚、凸部１７ｑ１’、１７ｑ２’の機能は、図９〜図１１に示した凸部１７ｑ１、１７ｑ２の機能と同じである。【０１２５】
尚、湾曲操作装置１００において、上述した湾曲操作ノブ６及び固定ノブ７に関わる構成は、固定レバー５が固定ノブ７に代わり、湾曲操作ノブ４が湾曲操作ノブ６に代わる以外は、同様の構成であるため、その説明を省略する。【０１２６】
次に、本実施の形態の作用について簡単に説明する。  
先ず、挿入部２の湾曲部２ｗを上下いずれかの方向に湾曲させる際は、操作者は、上述したように、回動軸１８の上端の保持部３５にガタ付きなく非固定状態で係止された湾曲操作ノブ４を、回動方向Ｒにおける方向Ｒ１と方向Ｒ２とのいずれかの方向に回転させる。【０１２７】
また、この際、位置決めバネ３０の軸部材３０ｖによって回動方向Ｒの位置決めがなされた湾曲操作ノブ４内の２枚の可動ディスク１１、１２は、位置決めバネ３０の爪部３０ｔによって、固定ディスク１４のフランジ部１４ｆを挟んでいない図５に示す第１の位置に位置している。このため、固定ディスク１４の外周面に設けられたＯリング２５は単に湾曲操作ノブ４の内周面４ｎに当接しているだけであることから、固定ディスク１４は湾曲操作ノブ４とともに回動する。よって、湾曲操作ノブ４を、無理なく方向Ｒ１または方向Ｒ２に回転させることができる。【０１２８】
その結果、湾曲操作ノブ４に固定された回動軸１８、スプロケット１９も方向Ｒ１または方向Ｒ２に回転することにより、スプロケット１９に巻回されたチェーンのいずれか側が牽引されることによって、湾曲部２ｗは、上下いずれかの方向に湾曲される。尚、この際、固定軸１０は、回動軸１８に対して非回動となっているため、回動することは無い。【０１２９】
次いで、湾曲操作ノブ４の回動操作による湾曲部２ｗの上下いずれかの方向の湾曲角度を固定したい場合、即ち、湾曲操作ノブ４の回動位置を固定したい場合には、操作者は、固定軸１０に対して、固定レバー５を方向Ｒ２に回転させる。【０１３０】
その結果、カム部材１５も方向Ｒ２に回転する。尚、この際、固定軸１０及び該固定軸１０に固定された２枚の可動ディスク１１、１２は方向Ｒ２に回転することはない。【０１３１】
さらに、２枚の可動ディスク１１、１２のスリット１１ｓ、１２ｓ内において、カム部材１５の突出部１５ｔは、スリット１１ｓ、１２ｓ内を、可動ディスク１１、１２のスリット１１ｓ、１２ｓの端部１１ｓｗ、１２ｓｗがカム溝１５ｃの端部１５ｃｔに当接するまで方向Ｒ２に移動する。【０１３２】
このことにより、可動ディスク１１は、可動ディスク１２に対して、カム溝１５ｃに形成された傾斜面または円弧状の面によってガイドされ、回転力が軸方向Ａへの力と変換されて、図６に示すように、軸方向Ａにおいて、第１の間隔ｄ１よりも短い第２の間隔ｄ２を有して離間する第２の位置へと移動する。【０１３３】
また、可動ディスク１１に移動に伴い、位置決めバネ３０の爪部３０ｔは、可動ディスク１１の貫通孔１１ｋ内に引っ込む。【０１３４】
また、第１の位置から第２の位置への移動の際、カム部材１５は方向Ｒ２に回転するが、該回転に伴い、カム部材１５の突出部１５ｔの横行部位１５ｔ２の内周面１５ｔｎに対して、付勢力を以て当接する抵抗付与部材１７の揺動部１７ｔの横行部位１７ｔ２の凸部１７ｑ１が内周面１５ｔｎの段部１５ｔｖに嵌入する。このことにより、固定レバー５の操作者に対して、クリック感を付与することにより、カム部材１５の方向Ｒ２への回転の回動終わりの前段階が告知される。【０１３５】
さらに、カム部材１５の方向Ｒ２への回転が進むと、内周面１５ｔｎには、揺動部１７ｔの横行部位１７ｔ２の凸部１７ｑ２が付勢力を以て当接し始める。【０１３６】
その後、第２の位置においては、固定ディスク１４のフランジ部１４ｆは、可動ディスク１１、１２によって挟まれることから、Ｏリング２５は、湾曲操作ノブ４の内周面４ｎに対して摩擦力を以て当接する。この摩擦力により、湾曲操作ノブ４の回動位置は固定される。【０１３７】
さらに、第２の位置においては、内周面１５ｔｎの段部１５ｔｖには、揺動部１７ｔの横行部位１７ｔ２の凸部１７ｑ２が嵌合する。即ち、段部１５ｔｖには、凸部１７ｑ１の他、凸部１７ｑ２が嵌合する。【０１３８】
その結果、カム部材１５、即ち固定レバー５の回動方向Ｒの位置が固定される。即ち、固定レバー５が第２の位置から、不意に回動方向Ｒの方向Ｒ１に移動してしまうことがない。【０１３９】
次に、湾曲操作ノブ４の回動位置の固定を解除したい場合には、操作者は、固定軸１０に対して、固定レバー５を方向Ｒ１に回転させる。よって、カム部材１５も方向Ｒ１に回転する。【０１４０】
その結果、突出部１５ｔは、段部１５ｔ３がスリット１２ｓの開口端部１２ｓｋに当接するまでスリット１１ｓ、１２ｓ内を移動し、上述した位置決めバネ３０の爪部３０ｔの弾性力により、可動ディスク１１は、図６に示す第２の位置から図５に示す第１の位置へ確実に移動される。【０１４１】
この状態においては、フランジ部１４ｆは、可動ディスク１１、１２に挟まれていないことから、湾曲操作ノブ４は固定ディスク１４とともに回動自在となるため、湾曲操作ノブ４の回動位置の固定は解除される。【０１４２】
尚、以上の作用は、湾曲操作ノブ６及び固定ノブ７に関しても同様である。【０１４３】
このように、本実施の形態においては、固定軸１０の外周面に対し、カム部材１５の突出部１５ｔの横行部位１５ｔ２の内周面１５ｔｎに付勢力を以て当接する揺動部１７ｔを具備する抵抗付与部材１７が固定されていると示した。【０１４４】
また、揺動部１７ｔの外周面に形成された凸部１７ｑ１、１７ｑ２が、第２の位置において、横行部位１５ｔ２の内周面１５ｔｎに形成された段部１５ｔｖに嵌入されると示した。【０１４５】
よって、この段部１５ｔｖへの凸部１７ｑ１、１７ｑ２の嵌入により、第２の位置において、カム部材１５、即ち固定レバー５の回動位置を容易に固定することができる。言い換えれば、固定レバー５の第２の位置からの不意の移動を防止することができる。【０１４６】
即ち、固定軸１０の外周面に抵抗付与部材１７を固定するのみの簡単な構成により、固定レバー５の第２の位置からの不意の移動を容易に防止することができる。【０１４７】
また、従来の湾曲操作装置１００の構成に、抵抗付与部材１７のみを追加する簡単な構成のため、組立性も良い。【０１４８】
尚、以上の効果は、湾曲操作ノブ６及び固定ノブ７に関しても同様である。【０１４９】
以上から、部品点数を少なくした簡単かつ小型の構造にて、固定用操作部材の不意の動作を確実に防止することができる内視鏡の湾曲操作装置１００を提供することができる。【０１５０】
［付記］
以上詳述した如く、本発明の実施形態によれば、以下の如き構成を得ることができる。即ち、
（１）内視鏡の操作部内に設けられた、前記内視鏡の挿入部の湾曲部を湾曲させる内視鏡の湾曲操作装置であって、
前記湾曲部の湾曲操作を行う回動自在な湾曲操作ノブと、
前記湾曲操作ノブの内面において、前記湾曲操作ノブの回動中心に形成された形成された被係合部と、
前記被係合部に係合される係合部と、前記係合部と連続して折り返された前記被係合部の外周面に当接する複数の折り返し部とを有する保持部が軸方向の端部に形成された前記湾曲操作ノブとともに回動自在な回動軸と、
を具備し、
前記複数の折り返し部は、前記回動軸と平行に折り返されており、前記回動軸の径方向における複数方向から前記被係合部の前記外周面に対して当接していることを特徴とする内視鏡の湾曲操作装置。【０１５１】
（２）前記保持部は、前記軸方向の端部に対して一体的に形成されていることを特徴とする付記１に記載の内視鏡の湾曲操作装置。【０１５２】
（３）前記係合部は、前記被係合部に対して、非固定状態で係合されていることを特徴とする付記１または２に記載の内視鏡の湾曲操作装置。【０１５３】
（４）前記各折り返し部は、前記軸方向及び前記回動軸の前記径方向の２方向に対して直交する方向に沿って延出する延出部位をさらに具備していることを特徴とする付記１〜３のいずれか１項に記載の内視鏡の湾曲操作装置。【０１５４】
（５）前記係合部は、前記軸方向の端部から、前記径方向に放射状に延出する少なくとも３本以上の腕部であり、
前記被係合部に、前記腕部が嵌入されるスリットが形成されていることを特徴とする付記１〜４のいずれか１項に記載の内視鏡の湾曲操作装置。【０１５５】
（６）前記被係合部に突起部が形成されており、前記係合部は、前記突起部が係合される前記軸方向の端部に形成された孔部であることを特徴とする付記１〜３のいずれか１項に記載の内視鏡の湾曲操作装置。【０１５６】
（７）前記各折り返し部は、前記突起部の外周面に対して弾性力を有して当接することを特徴とする付記６に記載の内視鏡の湾曲操作装置。【０１５７】
（８）前記折り返し部の前記軸方向の端部と、該端部に対向する前記湾曲操作ノブ内の部材との間隔は、前記折り返し部の前記軸方向の長さよりも短いことを特徴とする付記１〜７のいずれか１項に記載の内視鏡の湾曲操作装置。【０１５８】
ところで、近年、内視鏡は、医療分野及び工業用分野において広く利用されている。医療分野において用いられる内視鏡は、細長い挿入部を被検体となる体腔内に挿入することによって、体腔内の臓器を観察したり、必要に応じて内視鏡が具備する処置具の挿通チャンネル内に挿入した処置具を用いて各種処置をしたりすることができる。【０１５９】
また、工業用分野において用いられる内視鏡は、内視鏡の細長い挿入部をジェットエンジン内や、工場の配管等の被検体内に挿入することによって、被検体内の被検部位の傷及び腐蝕等の観察や各種処置等の検査を行うことができる。【０１６０】
ここで、内視鏡の挿入部に、複数方向に湾曲自在な湾曲部が設けられた構成が周知である。湾曲部は、管路内の屈曲部における挿入部の進行性を向上させる他、挿入部において、湾曲部よりも挿入方向の先端側に位置する先端部に設けられた観察光学系の観察方向を可変させる。【０１６１】
通常、内視鏡の挿入部に設けられた湾曲部は、複数の湾曲駒が挿入部の挿入方向に沿って連結されることにより、例えば上下左右の４方向に湾曲自在となるよう構成されている。【０１６２】
また、湾曲部は、湾曲駒の内、最も挿入方向の先端側に位置する湾曲駒に先端が固定された挿入部内に挿通された４本のワイヤのいずれかが操作部に設けられた湾曲操作装置によって牽引操作されることにより、上下左右のいずれかの方向に湾曲自在となっている。【０１６３】
具体的には、湾曲部は、操作部に設けられた上下湾曲用の湾曲操作ノブが回動操作されることによって、上下用の回動軸を介して操作部に設けられた上下湾曲用のスプロケットが回動され、該スプロケットに巻回された上下湾曲用チェーンの上側チェーン部位と下側チェーン部位とのいずれかが牽引されることにより、上下いずれかのワイヤが牽引され、上方向または下方向のいずれかに湾曲される構成を有している。【０１６４】
また、湾曲部は、操作部に設けられた左右湾曲用の湾曲操作ノブが回動操作されることによって、左右用の回動軸を介して操作部に設けられた左右湾曲用のスプロケットが回動され、該スプロケットに巻回された左右湾曲用チェーンの左側チェーン部位と右側チェーン部位とのいずれかが牽引されることにより、左右いずれかのワイヤが牽引され、左方向または右方向のいずれかに湾曲される構成を有している。【０１６５】
ここで、上下用の回動軸は、上下湾曲用の湾曲操作ノブの回動を上下湾曲用のスプロケットに伝達するため、軸方向の一端が上下湾曲用の湾曲操作ノブに固定され、他端が上下湾曲用のスプロケットに固定される必要がある。【０１６６】
同様に、左右用の回動軸は、左右湾曲用の湾曲操作ノブの回動を左右湾曲用のスプロケットに伝達するため、軸方向の一端が左右湾曲用の湾曲操作ノブに固定され、他端が左右湾曲用のスプロケットに固定される必要がある。【０１６７】
また、通常、各回動軸の各一端の各湾曲操作ノブへの固定は、接着剤やネジ等を用いて行う方法が一般的であり、このような固定構造は、例えば日本国第特開昭６０−４５３７７号公報に開示されている。【０１６８】
しかしながら、日本国第特開昭６０−４５３７７号公報に開示された固定構造のように、回動軸の固定にネジを用いる場合、各回動軸の一端を回動軸とは異なる他の部材にネジによって固定し、該他の部材を各湾曲操作ノブに接着剤やネジ等で固定する構造を有するため、各回動軸の固定に、別途他の部材を用いなければならないことから、各湾曲操作ノブが大型化してしまうといった問題があった。【０１６９】
また、回動軸の固定に接着剤やネジを用いる場合、固定作業に時間がかかるため、作業コストが増大してしまうといった問題があった。【０１７０】
よって、接着剤やネジを用いずに、各回動軸の一端を各湾曲操作ノブに嵌合させることにより、即ち非固定状態にて、各湾曲操作ノブの回動を各回動軸に伝達させる構成も考えられる。【０１７１】
しかしながらこの構成では、各回動軸の一端に対する各湾曲操作ノブの嵌合ガタ付きが大きくなってしまう、即ち各回動軸の一端に対して各湾曲操作ノブが傾いて組み付いてしまうといった問題がある他、湾曲操作ノブを回動軸とともにユニットとして流通する場合、湾曲操作ノブから回動軸が外れてしまうため取り扱いが難しいといった問題もあった。【０１７２】
本付記は、上記問題点に鑑みなされたものであり、簡単な構成にて、組立性に優れるとともに、湾曲操作ノブの小型化を実現でき、さらにガタ付き無く回動軸を湾曲操作ノブに組み付けることのできる内視鏡の湾曲操作装置を提供することを目的とする。【０１７３】
また、以上詳述した如く、本発明の実施形態によれば、以下の如き構成を得ることができる。即ち、
（９）回動軸と、
前記回動軸とともに回動自在な、内視鏡の湾曲部の湾曲操作を行う湾曲操作ノブと、
前記回動軸の軸方向において前記回動軸と同軸上に設けられた、前記回動軸に対して非回動な固定軸と、
前記固定軸の径方向の外周に対して固定された、前記軸方向において、第１の間隔を有して離間する第１の位置と、前記第１の間隔よりも短い第２の間隔を有して離間する第２の位置とに移動自在な２枚の可動ディスクと、
前記各可動ディスクに形成された、前記固定軸が嵌入される平面視した形状が多角形状を有する孔と、
２枚の前記可動ディスクと前記軸方向において同軸上に設けられるとともに前記湾曲操作ノブの内周面に当接する、前記第２の位置において２枚の前記可動ディスクによって挟まれることにより前記湾曲操作ノブの回動に摩擦力を付与する固定ディスクと、
一方の前記可動ディスクの前記孔及び他方の前記可動ディスクの前記孔と前記固定軸の外周との間に前記軸方向に沿って嵌入された位置決めバネと、
を具備し、
前記位置決めバネは、一方の前記可動ディスクに対する他方の前記可動ディスクの前記回動軸の回動方向の位置合わせを行う前記軸方向に沿った軸部材と、該軸部材における外周面から一方の前記可動ディスクと他方の前記可動ディスクとの間において径方向外側に突出する前記径方向に弾性変形自在な爪部とを有し、前記爪部は、弾性力により前記各可動ディスクを前記第２の位置から前記第１の位置へと離間させることを特徴とする内視鏡の湾曲操作装置。【０１７４】
（１０）前記爪部は、前記可動ディスクが前記第２の位置へと移動された際、一方の前記可動ディスクの移動によって前記径方向内側に引っ込み、前記一方の可動ディスクの前記孔内に位置することを特徴とする付記９に記載の内視鏡の湾曲操作装置。【０１７５】
ところで、近年、内視鏡は、医療分野及び工業用分野において広く利用されている。医療分野において用いられる内視鏡は、細長い挿入部を被検体となる体腔内に挿入することによって、体腔内の臓器を観察したり、必要に応じて内視鏡が具備する処置具の挿通チャンネル内に挿入した処置具を用いて各種処置をしたりすることができる。【０１７６】
また、工業用分野において用いられる内視鏡は、内視鏡の細長い挿入部をジェットエンジン内や、工場の配管等の被検体内に挿入することによって、被検体内の被検部位の傷及び腐蝕等の観察や各種処置等の検査を行うことができる。【０１７７】
ここで、内視鏡の挿入部に、複数方向に湾曲自在な湾曲部が設けられた構成が周知である。湾曲部は、管路内の屈曲部における挿入部の進行性を向上させる他、挿入部において、湾曲部よりも挿入方向の先端側に位置する先端部に設けられた観察光学系の観察方向を可変させる。【０１７８】
通常、内視鏡の挿入部に設けられた湾曲部は、複数の湾曲駒が挿入部の挿入方向に沿って連結されることにより、例えば上下左右の４方向に湾曲自在となるよう構成されている。【０１７９】
また、湾曲部は、湾曲駒の内、最も挿入方向の先端側に位置する湾曲駒に先端が固定された挿入部内に挿通された４本のワイヤのいずれかが操作部に設けられた湾曲操作装置によって牽引操作されることにより、上下左右のいずれかの方向に湾曲自在となっている。【０１８０】
具体的には、湾曲部は、操作部に設けられた上下湾曲用の湾曲操作ノブが回動操作されることによって、操作部に設けられた上下湾曲用のスプロケットが回動され、該スプロケットに巻回された上下湾曲用チェーンの上側チェーン部位と下側チェーン部位とのいずれかが牽引されることにより、上下いずれかのワイヤが牽引され、上方向または下方向のいずれかに湾曲される構成を有している。【０１８１】
また、湾曲部は、操作部に設けられた左右湾曲用の湾曲操作ノブが回動操作されることによって、操作部に設けられた左右湾曲用のスプロケットが回動され、該スプロケットに巻回された左右湾曲用チェーンの左側チェーン部位と右側チェーン部位とのいずれかが牽引されることにより、左右いずれかのワイヤが牽引され、左方向または右方向のいずれかに湾曲される構成を有している。【０１８２】
また、操作部に、上下湾曲用の湾曲操作ノブの回動操作により上方向または下方向に湾曲された湾曲部の湾曲角度、即ち上下湾曲用の湾曲操作ノブの回動位置を固定する上下固定用ロックレバーや、左右湾曲用の湾曲操作ノブの回動操作により左方向または右方向に湾曲された湾曲部の湾曲角度、即ち左右湾曲用の湾曲操作ノブの回動位置を固定する左右固定用ロックノブが設けられた構成も周知であり、例えば日本国第特開平１０−２８６２２０号公報に開示されている。【０１８３】
日本国第特開平１０−２８６２２０号公報には、上下湾曲用の湾曲操作ノブ内の空間に、該ノブの内周面に当接する摩擦部材と、該摩擦部材を挟持自在な、上下固定用ロックレバーに固定された可動部材及び固定部材が設けられた構成が開示されている。【０１８４】
日本国第特開平１０−２８６２２０号公報に開示された構成を用いて上下湾曲用の湾曲操作ノブの回動位置を固定する場合には、上下固定用ロックレバーを一方向に回転させて、該ロックレバーとともに可動部材を一方向に回転させることによって、ネジ機構を用いて固定部材に対して可動部材を移動させ、摩擦部材を固定部材と可動部材との間に挟んで弾性変形させ、上下湾曲用の湾曲操作ノブの内周面に対して摩擦部材を、摩擦力を以て当接させることにより、該摩擦力により上下湾曲用の湾曲操作ノブの回動位置を固定するようになっている。【０１８５】
尚、日本国第特開平１０−２８６２２０号公報においては、左右湾曲用の湾曲操作ノブの回動位置を固定する構成も、上下湾曲用の湾曲操作ノブの回動位置を固定する構成と同様の構成を有している。【０１８６】
しかしながら、日本国第特開平１０−２８６２２０号公報に開示された構成においては、摩擦部材を、ネジ機構によって可動部材と固定部材とによって挟持することにより弾性変形させる構成であることから、摩擦部材は、複数回の弾性変形に伴い劣化しやく、その結果、複数回の使用後、湾曲操作ノブの内周面に対する摩擦部材の摩擦力が低下してしまう、即ち、摩擦部材の摩擦力がばらついてしまうといった問題があった。【０１８７】
また、摩擦部材を弾性変形させるためには、大きな力で摩擦部材を固定部材と可動部材とで挟持しなければならないため、可動部材を回動させるロックレバーやロックノブも大きな力で回動させなければならないといった問題があった。【０１８８】
そこで、ネジ機構を用いずにカム部材を用いる等により、固定用の操作部材を小さな力で回動させても、湾曲操作ノブの内周面に対して摩擦力を以て当接させる固定ディスクを２枚の可動ディスクで確実に挟むことができる構成も周知である。【０１８９】
しかしながら、カム部材等を用いて、２枚の可動ディスクにより固定ディスクを挟む構成においては、上下固定用ロックレバー及び左右固定用ロックノブ（以下、まとめて固定用操作部材と称す）を用いた各湾曲操作ノブの回動位置の固定が不要となった場合、固定用操作部材を固定とは逆方向に回転させても２枚の可動ディスクを固定ディスクから離間させ難く、その結果、固定ディスクから湾曲操作ノブの内周面に対して不要な摩擦力が付与されてしまうことから、各湾曲操作ノブの回動操作に不要な抵抗が生じてしまうといった問題がある。【０１９０】
さらには、カム部材等を用いて２枚の可動ディスクを移動させる構成においては、組み立ての際、一方の可動ディスクに対する他方の可動ディスクの、湾曲操作ノブの回動方向の位置合わせが難しい、具体的には、固定軸に対して２つの可動ディスクを嵌入させる際、固定軸に対する各可動ディスクの嵌入孔の位置合わせが難しいといった問題もあった。【０１９１】
本付記は、上記問題点に鑑みなされたものであり、簡単な構成にて、固定ディスクから２枚の可動ディスクを確実に離間させることができるとともに、２枚の可動ディスクの位置合わせが容易にできる内視鏡の湾曲操作装置を提供することを目的とする。【０１９２】
本出願は、２０１１年１０月２８日に日本国に出願された特願２０１１−２３７６４８号、特願２０１１−２３７６４９号、特願２０１１−２３７６５０号を優先権主張の基礎として出願するものであり、上記の内容は、本願明細書、請求の範囲、図面に引用されたものである。
【図１】
2013061690.tif 000003
【図２】
2013061690.tif 000004
【図３】
2013061690.tif 000005
【図４】
2013061690.tif 000006
【図５】
2013061690.tif 000007
【図６】
2013061690.tif 000008
【図７】
2013061690.tif 000009
【図８】
2013061690.tif 000010
【図９】
2013061690.tif 000011
【図１０】
2013061690.tif 000012
【図１１】
2013061690.tif 000013
【図１２】
2013061690.tif 000014
【図１３】
2013061690.tif 000015
【図１４】
2013061690.tif 000016
【図１５】
2013061690.tif 000017
【図１６】
2013061690.tif 000018
【図１７】
2013061690.tif 000019
【図１８】
2013061690.tif 000020
【図１９】
2013061690.tif 000021
【手続補正書】
【提出日】平成25年4月10日(2013.4.10)
【手続補正１】
【補正対象書類名】明細書
【補正対象項目名】００１６
【補正方法】変更
【補正の内容】
【００１６】
本発明の一態様による内視鏡の湾曲操作装置は、回動軸と、前記回動軸とともに回動して、内視鏡の湾曲部の湾曲動作を行う湾曲操作ノブと、前記回動軸の軸方向において前記回動軸と同軸上に設けられた、前記回動軸に対して非回動な固定軸と、第１の面と第２の面とを備え、前記湾曲操作ノブの回動とともに回動する固定ディスクと、前記固定ディスクの前記第１の面側に設けられた第１の可動ディスクと、前記固定ディスクの前記第２の面側に設けられた第２の可動ディスクとを有する２枚の可動ディスクと、２枚の前記可動ディスクと前記軸方向において同軸上に位置するとともに、回動により２枚の前記可動ディスクが第１の間隔で離間する第１の位置と、前記第１の間隔よりも短く前記２枚の可動ディスクの間で前記固定ディスクをそれぞれ当接して挟む第２の間隔で離間させる第２の位置とに、前記第１の可動ディスクまたは第２の可動ディスクを移動させる移動部材と、前記移動部材の回動操作を行う固定用操作部材と、前記固定軸の前記径方向の外周に対して固定されるとともに前記移動部材の内側に設けられた、前記移動部材の回動に抵抗力を付与する抵抗付与部材と、を具備し、前記抵抗付与部材は、前記移動部材の回転に伴って移動してきた前記移動部材に設けられた突出部の内周面に対して付勢力を以て当接することにより、前記移動部材の回動位置を前記可動ディスクの前記第２の位置において固定する、前記移動部材の径方向に揺動自在な揺動部を有している。
【手続補正２】
【補正対象書類名】特許請求の範囲
【補正対象項目名】全文
【補正方法】変更
【補正の内容】
【特許請求の範囲】
【請求項１】
回動軸と、
前記回動軸とともに回動して、内視鏡の湾曲部の湾曲動作を行う湾曲操作ノブと、
前記回動軸の軸方向において前記回動軸と同軸上に設けられた、前記回動軸に対して非回動な固定軸と、
第１の面と第２の面とを備え、前記湾曲操作ノブの回動とともに回動する固定ディスクと、
前記固定ディスクの前記第１の面側に設けられた第１の可動ディスクと、前記固定ディスクの前記第２の面側に設けられた第２の可動ディスクとを有する２枚の可動ディスクと、
２枚の前記可動ディスクと前記軸方向において同軸上に位置するとともに、回動により２枚の前記可動ディスクが第１の間隔で離間する第１の位置と、前記第１の間隔よりも短く前記２枚の可動ディスクの間で前記固定ディスクをそれぞれ当接して挟む第２の間隔で離間させる第２の位置とに、前記第１の可動ディスクまたは第２の可動ディスクを移動させる移動部材と、
前記移動部材の回動操作を行う固定用操作部材と、
前記固定軸の前記径方向の外周に対して固定されるとともに前記移動部材の内側に設けられた、前記移動部材の回動に抵抗力を付与する抵抗付与部材と、
を具備し、
前記抵抗付与部材は、前記移動部材の回転に伴って移動してきた前記移動部材に設けられた突出部の内周面に対して付勢力を以て当接することにより、前記移動部材の回動位置を前記可動ディスクの前記第２の位置において固定する、前記移動部材の径方向に揺動自在な揺動部を有していることを特徴とする内視鏡の湾曲操作装置。
【請求項２】
前記移動部材は、前記固定用操作部材が回動操作されることにより、前記回動軸及び前記固定軸の中心軸を中心に回動する環状部材であることを特徴とする請求項１に記載の内視鏡の湾曲操作装置。
【請求項３】
前記２枚の可動ディスクには、前記軸方向に貫通するスリットがそれぞれ形成され、
前記移動部材は、
前記各スリットを前記軸方向に貫通するとともに前記各スリット内を前記回動軸の回動方向に移動自在な前記突出部を有し、前記回動軸の回動とは別に前記回動方向に回動自在であって、一方向への回転に伴い２枚の前記可動ディスクを、前記突出部に形成されたカム溝により前記第１の位置から前記第２の位置へと移動させるカム部材であることを特徴とする請求項２に記載の内視鏡の湾曲操作装置。
【請求項４】
前記揺動部は、前記カム部材の前記一方向への回転に伴って移動してきた前記カム部材の前記突出部の内周面に対して付勢力を以て当接することにより、前記カム部材の回動位置を前記可動ディスクの前記第２の位置において固定することを特徴とする請求項３に記載の内視鏡の湾曲操作装置。
【請求項５】
前記突出部は、前記回動方向に沿った横行部位を有しており、
前記揺動部は、前記カム部材の前記一方向への回動に伴い移動してきた前記横行部位の内周面に当接することを特徴とする請求項４に記載の内視鏡の湾曲操作装置。
【請求項６】
前記揺動部は、前記径方向に揺動自在な弾性部材から構成されていることを特徴とする請求項１に記載の内視鏡の湾曲操作装置。
【請求項７】
前記揺動部は、前記横行部位に対向するよう、前記回動方向に沿って細長に形成されていることを特徴とする請求項３に記載の内視鏡の湾曲操作装置。
【請求項８】
前記揺動部には凸部が形成されているとともに前記横行部位の前記内周面に段部が形成されており、
前記第２の位置において前記段部に前記凸部が嵌入することにより、前記カム部材の回動位置が前記第２の位置にて固定されることを特徴とする請求項７に記載の内視鏡の湾曲操作装置。
【請求項９】
前記凸部は、前記揺動部に対して前記回動方向に離間して２つ形成されていることを特徴とする請求項８に記載の内視鏡の湾曲操作装置。
【請求項１０】
２つの前記凸部の内、前記カム部材の前記一方向への回転に伴い、前記横行部位の前記凹部に後から嵌入する前記凸部により、前記カム部材の回動位置が前記第２の位置にて固定されることを特徴とする請求項９に記載の内視鏡の湾曲操作装置。
【手続補正書】
【提出日】平成25年7月11日(2013.7.11)
【手続補正１】
【補正対象書類名】明細書
【補正対象項目名】００１６
【補正方法】変更
【補正の内容】
【００１６】
本発明の一態様による内視鏡の湾曲操作装置は、回動軸と、前記回動軸とともに回動して、内視鏡の湾曲部の湾曲動作を行う湾曲操作ノブと、前記回動軸の軸方向において前記回動軸と同軸上に設けられた、前記回動軸に対して非回動な固定軸と、第１の面と第２の面とを備え、前記湾曲操作ノブの回動とともに回動する固定ディスクと、前記固定ディスクの前記第１の面側に設けられた第１の可動ディスクと、前記固定ディスクの前記第２の面側に設けられた第２の可動ディスクとを有する２枚の可動ディスクと、２枚の前記可動ディスクと前記軸方向において同軸上に位置するとともに、回動により２枚の前記可動ディスクが第１の間隔で離間する第１の位置と、前記第１の間隔よりも短く前記２枚の可動ディスクの間で前記固定ディスクをそれぞれ当接して挟む第２の間隔で離間させる第２の位置とに、前記第１の可動ディスクまたは第２の可動ディスクを移動させる移動部材と、前記移動部材の回動操作を行う固定用操作部材と、前記固定軸の外周に対して固定されるとともに前記移動部材の内側に設けられた、前記移動部材の回動に抵抗力を付与する抵抗付与部材と、を具備し、前記抵抗付与部材は、前記移動部材の回転に伴って移動してきた前記移動部材に設けられた突出部の内周面に対して付勢力を以て当接することにより、前記移動部材の回動位置を前記可動ディスクの前記第２の位置において固定する、前記移動部材の径方向に揺動自在な揺動部を有している。
【手続補正２】
【補正対象書類名】特許請求の範囲
【補正対象項目名】全文
【補正方法】変更
【補正の内容】
【特許請求の範囲】
【請求項１】
回動軸と、
前記回動軸とともに回動して、内視鏡の湾曲部の湾曲動作を行う湾曲操作ノブと、
前記回動軸の軸方向において前記回動軸と同軸上に設けられた、前記回動軸に対して非回動な固定軸と、
第１の面と第２の面とを備え、前記湾曲操作ノブの回動とともに回動する固定ディスクと、
前記固定ディスクの前記第１の面側に設けられた第１の可動ディスクと、前記固定ディスクの前記第２の面側に設けられた第２の可動ディスクとを有する２枚の可動ディスクと、
２枚の前記可動ディスクと前記軸方向において同軸上に位置するとともに、回動により２枚の前記可動ディスクが第１の間隔で離間する第１の位置と、前記第１の間隔よりも短く前記２枚の可動ディスクの間で前記固定ディスクをそれぞれ当接して挟む第２の間隔で離間させる第２の位置とに、前記第１の可動ディスクまたは第２の可動ディスクを移動させる移動部材と、
前記移動部材の回動操作を行う固定用操作部材と、
前記固定軸の外周に対して固定されるとともに前記移動部材の内側に設けられた、前記移動部材の回動に抵抗力を付与する抵抗付与部材と、
を具備し、
前記抵抗付与部材は、前記移動部材の回転に伴って移動してきた前記移動部材に設けられた突出部の内周面に対して付勢力を以て当接することにより、前記移動部材の回動位置を前記可動ディスクの前記第２の位置において固定する、前記移動部材の径方向に揺動自在な揺動部を有していることを特徴とする内視鏡の湾曲操作装置。
【請求項２】
前記移動部材は、前記固定用操作部材が回動操作されることにより、前記回動軸及び前記固定軸の中心軸を中心に回動する環状部材であることを特徴とする請求項１に記載の内視鏡の湾曲操作装置。
【請求項３】
前記２枚の可動ディスクには、前記軸方向に貫通するスリットがそれぞれ形成され、
前記移動部材は、
前記各スリットを前記軸方向に貫通するとともに前記各スリット内を前記回動軸の回動方向に移動自在な前記突出部を有し、前記回動軸の回動とは別に前記回動方向に回動自在であって、一方向への回転に伴い２枚の前記可動ディスクを、前記突出部に形成されたカム溝により前記第１の位置から前記第２の位置へと移動させるカム部材であることを特徴とする請求項２に記載の内視鏡の湾曲操作装置。
【請求項４】
前記揺動部は、前記カム部材の前記一方向への回転に伴って移動してきた前記カム部材の前記突出部の内周面に対して付勢力を以て当接することにより、前記カム部材の回動位置を前記可動ディスクの前記第２の位置において固定することを特徴とする請求項３に記載の内視鏡の湾曲操作装置。
【請求項５】
前記突出部は、前記回動方向に沿った横行部位を有しており、
前記揺動部は、前記カム部材の前記一方向への回動に伴い移動してきた前記横行部位の内周面に当接することを特徴とする請求項４に記載の内視鏡の湾曲操作装置。
【請求項６】
前記揺動部は、前記径方向に揺動自在な弾性部材から構成されていることを特徴とする請求項１に記載の内視鏡の湾曲操作装置。
【請求項７】
前記突出部は、前記回動方向に沿った横行部位を有しており、
前記揺動部は、前記横行部位に対向するよう、前記回動方向に沿って細長に形成されていることを特徴とする請求項３に記載の内視鏡の湾曲操作装置。
【請求項８】
前記揺動部には凸部が形成されているとともに前記横行部位の前記内周面に段部が形成されており、
前記第２の位置において前記段部に前記凸部が嵌入することにより、前記カム部材の回動位置が前記第２の位置にて固定されることを特徴とする請求項７に記載の内視鏡の湾曲操作装置。
【請求項９】
前記凸部は、前記揺動部に対して前記回動方向に離間して２つ形成されていることを特徴とする請求項８に記載の内視鏡の湾曲操作装置。
【請求項１０】
２つの前記凸部の内、前記カム部材の前記一方向への回転に伴い、前記横行部位の前記段部に後から嵌入する前記凸部により、前記カム部材の回動位置が前記第２の位置にて固定されることを特徴とする請求項９に記載の内視鏡の湾曲操作装置。
【国際調査報告】
2013061690.tif 000022
2013061690.tif 000023
2013061690.tif 000024